(57)【特許請求の範囲】
【請求項１】
回転するダイカットローラに設置された刃物の位置をバックアップローラに接触して長尺シートがカットされる位置で停止させると共に、予め単位シートにおける縦方向のカット位置で長尺シートをカットしておき、前記カットした長尺シートの端部を前記停止している刃物の側面に突き当て、刃物と前記長尺シートの端部が接触する位置で長尺シートを固定してから操作を開始することを特徴とした情報通信体のカット位置調整手段。
【請求項２】
ダイカットローラ又はダイカットローラの回転と同調した軸にエンコーダを設置し、前記エンコーダとセンサの組み合わせによりダイカットローラに設置された刃物の位置をバックアップローラに接触して長尺シートがカットされる位置で停止させることを特徴とした請求項１に記載の情報通信体のカット位置調整手段。
【請求項３】
長尺シートの端部をセンサで読取り、刃物と前記長尺シートの端部が接触する位置まで長尺シートを前進させ固定することを特徴とした請求項１に記載の情報通信体のカット位置調整手段。
【請求項４】
エンコーダとセンサの組み合わせによる読取りと長尺シート端部のセンサによる読取りを同時に行い、ダイカットローラに設置された刃物の位置をバックアップローラに接触して長尺シートがカットされる位置で停止させると共に、刃物と前記長尺シートの端部が接触する位置まで長尺シートを前進させ固定することを特徴とした請求項１に記載の情報通信体のカット位置調整手段。
【発明の詳細な説明】
【技術分野】
【０００１】  本発明は、長尺シートを使用した帳票類、ハガキ、封書等の情報通信体の製造方法におけるカット位置の調整手段に関する。詳しくは単位シートが連接された長尺シートにおいて、単位シート毎のカット位置を容易にセットできる情報通信体の製造方法に関する。
【背景技術】
【０００２】  従来前記長尺シートを使用した情報通信体の製造方法として、例えば特開平５−３８８９４号公報に記載されている「密着書簡の連続製造装置」がある。
このものは、情報通信体を連続的に製造する装置であり、長尺シートを単位シートの長さに切断する単位フォーム用切断部にダイカットローラを使用している。
【先行技術文献】
【特許文献】
【０００３】
【特許文献１】特開平５−３８８９４号公報
【発明の概要】
【発明が解決しようとする課題】
【０００４】  前記製造方法では、長尺シートを単位シート毎にカットする際にカット位置調整を行う必要がある。即ち当初目検討で単位シートを１枚カットして取り出した後に搬送テーブル上の長尺シートと位相を揃えて平行に並べ、前記取り出した単位シートと長尺シートのカット位置の誤差を確認し、長尺シートを前後させて正しいカット位置に設定した後に新たに１枚カットする。このような操作を数回繰り返して正しいカット位置を探り出しているのである。従って正しいカット位置を探り当てるまでに大量のカット不良品を発生させてしまうのである。【０００５】  本発明は、前記調整によるカット不良品の発生をなくし、素人でも容易に一度で正しいカット位置に設定することが可能な情報通信体のカット位置調整手段を提供することを目的としている。
【課題を解決するための手段】
【０００６】  上記目的を達成するために、本発明の情報通信体のカット位置調整手段は、回転するダイカットローラに設置された刃物の位置をバックアップローラに接触して長尺シートがカットされる位置で停止させると共に、予め単位シートにおける縦方向のカット位置で長尺シートをカットしておき、前記カットした長尺シートの端部を前記停止している刃物の側面に突き当て、刃物と前記長尺シートの端部が接触する位置で長尺シートを固定してから操作を開始することを特徴としている。【０００７】  なお、前記カット位置調整手段に、エンコーダとセンサの組み合わせを利用して、任意の位置で停止している刃物の位置を自動的にバックアップローラに接触して長尺シートがカットされる位置へ回転移動させる電気的手段を用いても構わない。【０００８】  また、前記カット位置で停止している刃物へ、長尺シートの端部を突き当てる際に、センサを使用して自動的に長尺シートを必要な距離だけ前進させて、刃物と突き当たり接触する位置で停止させる電気的手段を用いても構わない。【０００９】  ダイカットローラに設置された刃物が回転すると単位シートが同調した速度で前進する。即ち、カット位置で停止していた刃物が次のカット位置まで回転すると、長尺シートが丁度単位シートの長さだけ移動するようにダイカットローラの径が設計されている。従って予め単位シート前部でカットされた長尺シートの端部をカット位置で停止している刃物に突き当てて接触させておけば、ダイカットローラの回転と同調して長尺シートが前進するため、刃物が回転して次のカット位置に来た時には、必然的に単位シート後部のカット位置と合致することになる。【００１０】  ところで前記ダイカットローラの刃物を回転して、バックアップローラと接触して長尺シートをカットする位置に設定することは人手でも可能である。ダイカットローラの回転中に刃物がバックアップローラに接触する際に「コツン」と発する音で認識できる。従って前記音を確認すると同時に回転を止めればよい。そして単位シートの前部でカットされた長尺シートの端部を押し当て、その位置で長尺シートをピントラクタ等の搬送手段に固定すれば、搬送手段とダイカットローラの両者は同調しているのでそのまま稼動すれば連続的に単位シート毎に正しくカットされる。【００１１】  またダイカットローラの回転軸や前記回転軸と同調している他の回転軸等にエンコーダを取り付けておいて、刃物がカット位置に来た瞬間をセンサ等で読み取って電気的に停止させてもよい。このように電気的にカット位置で停止するようにしておけば、スタートボタンを一度押すだけで自動的に回転して前記カット位置で停止するため極めて至便である。【００１２】  さらに前記手段でダイカットローラを停止させた後に、無作為にピントラクタ等の搬送手段に長尺シートを固定しておいて、電気的に前進させて通過する長尺シートの端部を光電センサ等により読み取り、刃物と突き当たる位置までカウントして自動的に停止させても構わない。このようにすれば長尺シートの前進を電気的に制御できるためさらに至便である。【００１３】  さらにまた、前記ダイカットローラの動作と長尺シートの動作を共に行うように電気的制御がなされれば��ワンタッチでダイカットローラの位置決めと長尺シートの端部を突き当てる動作が行われるので極めて至便である。
【発明の効果】
【００１４】  前記のように、本発明に係る情報通信体のカット位置調整手段によれば、作業開始の当初から不良品を１枚も発生させることがない。
また、エンコーダ等により電気的にダイカットローラに取り付けられた刃物の回転位置を捕捉して、バックアップローラとの接触点、即ち長尺シートのカット位置でダイカットローラが停止するように設定すれば至便である。
さらに、長尺シートの前進も電気的に制御するようにすれば、ダイカットロールの刃物に対する長尺シートの端部の突き当たり位置への移動を自動的に行うことが出来るため極めて至便である。
さらにまた、前記ダイカットローラと長尺シートの端部の突き当て動作を電気的に同時に進行させれば尚更至便である。
【図面の簡単な説明】
【００１５】
【図１】（Ａ）及び（Ｂ）は長尺シートＳの表面図及び裏面図である。
【図２】従来の長尺シートＳを単位シートｔ毎にカットする工程を説明する要部概略図である。
【図３】切取線４で切り取った長尺シートＳの端部Ｔを示す平面図である。
【図４】（Ａ）、（Ｂ）及び（Ｃ）は長尺シートＳを単位シートｔ毎にカットする様子を時系列で示す要部概略図である。
【図５】ダイカットローラ１４の軸にエンコーダ２０を取り付けた場合の要部概略図である。
【図６】長尺シートＳの端部Ｔを刃物１６の側面に電気的に突き当てる原理を示す要部概略図である。
【発明を実施するための形態】
【００１６】  以下、本発明の実施の形態を図面に基づいて具体的に説明する。
図１は情報通信体で最も基本的な二つ折りハガキの長尺シートＳを示す。同図（Ａ）に示すように長尺シートＳは、第一葉片１と第二葉片２が折線３を介して横方向に連接された単位シートｔがミシン目からなる切取線４を介して縦方向に連接されている。そして第一葉片１及び第二葉片２外側には見当線からなる切取線５を介してマージナル孔６を設けたマージナル部分７が連接している。
【００１７】  第一葉片１表面には郵便切手欄や郵便番号欄及び受取人の住所氏名等が記載され、第二葉片２表面には宣伝広告等の一般情報が記載されている。また同図（Ｂ）に示すように、第一葉片１及び第二葉片２裏面には秘密を要する個人情報が記載されている。なお前記個人情報は必ずしも秘密を要するものである必要はなく、一般情報や一般情報と個人情報が混在していても構わない。
【００１８】  前記長尺シートＳは、アングル等の図示されない折畳み装置を通過して、各葉片の裏面同士を対向させて折線３から二つ折りに折り畳まれる。なお、前記対向葉片間には図２に示す流れの中で、ダイカットローラ１４に至るまでに図示されない公知の疑似接着媒体が介装され、さらに図示されない図２以降の下流の工程により単位シートｔは、前記疑似接着媒体により全体として剥離可能に一体化されるのである。
【００１９】  従来のダイカットローラ１４により長尺シートＳを単位シートｔ毎にカットする工程を以下に説明する。
前記疑似接着媒体を介して二つ折りに折り畳まれた長尺シートＳ（図では便宜上１層で表している）は、図２に示すように、重なり合ったマージナル孔６をピントラクタ１１のピンと合致させ、下流のスリッタ１２により前記重なり合ったマージナル部分７を切り落としながら下流のニップローラ１３に引き込まれる。この時点でこのままダイカットローラ１４とバックアップローラ１５間を通過させ、無作為にカットされた用紙を取り出す。そして前記用紙のカット状況を確認して、刃物１６によりカットされる位置を想定して長尺シートＳを移動し、同様の作業を繰り返して正確なカット位置を探り当てるのである。
【００２０】  次に本発明の情報通信体のカット位置調整手段を説明する。
まず図４（Ａ）に示すように、刃物１６がバックアップローラ１５に接触する位置（通過する長尺シートＳがカットされる位置）で停止させる。これは微動によりダイカットローラ１４を回転させているとバックアップローラ１５に接触する際に「コツン」と音を発するため容易に確認できる。前記音を確認すると同時に停止させる。次に予め切取線４で切り取った長尺シートＳ（図３に示す状態）をピントラクタ１１に装着し、ゆっくりとダイカットローラ１４とバックアップローラ１５間へ送り込む。即ちピントラクタ１１と同調して動作するスリッタ１２とニップローラ１３を通過させ、長尺シートＳの端部Ｔが刃物１６に当たる位置まで進めるのである。この際に長尺シートＳを送り込み過ぎると刃物１６とニップローラ１３の間で弛んで浮き上がるため容易に確認することができる。その位置で長尺シートＳのマージナル孔６をピントラクタ１１のピンに合致させて固定させる。
【００２１】  前記のように刃物１６と長尺シートＳの端部Ｔの位置をセットしたので、このまま稼動すれば図４（Ｂ）に示すようにダイカットローラ１４とバックアップローラ１５の回転に同調して、長尺シートＳはニップローラ１３及び１７に牽引されて下流へと移動する。そして同図（Ｃ）に示すように、次に刃物１６がカット位置に来るときには単位シートｔの長さを移動しているため単位シートｔ後部のカット位置で正確にカットされる。
【００２２】  図５はダイカットローラ１４の軸にエンコーダ２０を取り付けたものである。このエンコーダ２０には窓２１が形成されており、刃物１６がバックアップローラ１５と接触する位置を前記窓２１とセンサ２２の組み合わせで感知して電気的に停止させるのである。
なお、エンコーダ２０は必ずしもダイカットローラ１４の軸に取り付ける必要はなく、ダイカットローラ１４と同調して回転する軸であれば構わない。
【００２３】  図６はダイカットローラ１４の刃物１６がバックアップローラ１５と接触する位置で停止している状態で、ピントラクタ１１やニップローラ１３等により長尺シートＳを自動的に搬送し、端部Ｔを光電センサ２５で感知した後に予め定めた距離、即ちセンサ２５から刃物１６間の距離をカウントして前進させた後に停止するよう制御したものである。長尺シートＳが停止すると丁度長尺シートＳの端部Ｔが刃物１６の側面に突き当たった状態になる。その後スタートボタンを押せばそのまま作業に入ることができるのである。
【符号の説明】
【００２４】Ｓ  長尺シート
ｔ  単位シート
Ｔ  端部
１、２  葉片
３  折線
４、５  切取線
６  マージナル孔
７  マージナル部分
１１  ピントラクタ
１２  スリッタ
１３、１７  ニップローラ
１４  ダイカットローラ
１５  バックアップローラ
１６  刃物
２０  エンコーダ
２１  窓
２２  光電センサ
２５  光電センサ
【図１】
0005617072.tif 000002
【図２】
0005617072.tif 000003
【図３】
0005617072.tif 000004
【図４】
0005617072.tif 000005
【図５】
0005617072.tif 000006
【図６】
0005617072.tif 000007